【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
ワイヤレス通信を実行するための方法であって、前記方法は、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられ、前記仮想セルのセットを構成することは、仮想セルから物理パラメータのセットにマップすることを含み、前記仮想セルのセットを構成することは、構成されていないセルのための干渉抑制または干渉キャンセルのうちの少なくとも１つを実行するために、ユーザ機器（ＵＥ）に対してデフォルト行動を指定することを含む、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を備える、方法。
【請求項２】
前記干渉は、前記１つまたは複数の仮想セルのセットの間の前記少なくとも１つの仮想セルによる制御送信またはデータ送信のうちの少なくとも１つによって生じる、
請求項１に記載の方法。
【請求項３】
前記干渉抑制または干渉キャンセルのうちの少なくとも１つは、セルによる制御送信またはデータ送信のうちの少なくとも１つに対して実行される、
請求項１に記載の方法。
【請求項４】
前記仮想セルのセットを構成することは、ユーザ機器（ＵＥ）固有のやり方またはセル固有のやり方のうちの少なくとも１つで前記仮想セルのセットを構成することを含む、
請求項１に記載の方法。
【請求項５】
前記ＵＥ固有のやり方で前記仮想セルのセットを構成することは、前記ＵＥからの基準信号受信電力レポートに基づいて前記仮想セルのセットを構成することを含む、
請求項４に記載の方法。
【請求項６】
仮想セルから前記物理パラメータのセットにマップすることは、１対１ベース、多対１ベース、または１対多ベースのうちの少なくとも１つで実行される、
請求項１に記載の方法。
【請求項７】
前記物理パラメータのセットは、
前記セル固有基準信号周波数シフト、
エンハンスド物理ダウンリンク制御チャネルまたは物理ダウンリンク共有チャネルのうちの少なくとも１つのための前記開始シンボル、
前記１つまたは複数のチャネル状態情報基準信号構成、
前記キャリアタイプ、
または前記１つまたは複数の復調基準信号パターン
のうちの少なくとも２つを含む、請求項６に記載の方法。
【請求項８】
前記仮想セルのセットを構成することは、アンテナポート７乃至１４のブラインド検出を許容にするのに十分な程度にユーザ機器（ＵＥ）のために構成される限られた数の前記仮想セルを含む、
請求項１に記載の方法。
【請求項９】
前記デフォルト行動を指定することは、
前記ＵＥが物理セルアイデンティティおよびその関連付けられた物理パラメータに少なくとも基づいて干渉抑制または干渉キャンセルのうちの少なくとも１つを実行するべきであると指定すること、
セル間協調で構成される前記ＵＥが、ＰＤＳＣＨおよび／またはＥＰＤＣＣＨレートマッチングおよび／または擬似コロケーション動作のための構成のセットに少なくとも基づいて干渉抑制または干渉キャンセルのうちの少なくとも１つを実行するべきであると指定すること
のうちの少なくとも１つを含む、請求項１に記載の方法。
【請求項１０】
前記ＵＥが物理セルアイデンティティに少なくとも基づいて干渉抑制または干渉キャンセルのうちの少なくとも１つを実行すべきであると指定することは、前記ＵＥが前記物理セルアイデンティティと関連付けられた前記物理パラメータが有効であるか否かをブランドで検出すべきであると指定することを含む、
請求項９に記載の方法。
【請求項１１】
前記仮想セルのセットは、制御チャネル、チャネル状態情報基準信号チャネル、およびデータチャネルで使用するために１つの仮想セルのセットを構成することを含む、
請求項１に記載の方法。
【請求項１２】
前記仮想セルのセットを構成することは、
半静的となるように前記仮想セルのセットを構成すること、
または動的に前記仮想セルのセットを構成すること
のうちの少なくとも１つを含む、請求項１に記載の方法。
【請求項１３】
前記１つまたは複数の仮想セルの前記セットに関する情報を送信することは、ダウンリンク制御情報における前記情報を動的にシグナリングすることを含む、
請求項１２に記載の方法。
【請求項１４】
前記仮想セルのセットを構成することは、前記仮想セルのセットのうちの１つより多くの物理セルと物理セルを関連付けることを含む、
請求項１に記載の方法。
【請求項１５】
前記仮想セルのセットを構成することは、レガシーキャリアタイプおよび非レガシーキャリアタイプの両方のための前記仮想セルのセットを構成することを含む、
請求項１に記載の方法。
【請求項１６】
前記仮想セルのセットを構成することは、セル内で、干渉抑制または干渉キャンセルのうちの少なくとも１つを取り扱うために同じサービングセルの物理セルアイデンティティに仮想セルをマップすることを含む、
請求項１に記載の方法。
【請求項１７】
前記仮想セルのセットを構成することと合同または別々のうちの少なくとも１つでユーザ機器（ＵＥ）のためのセル間協調を構成することをさらに含む、
請求項１に記載の方法。
【請求項１８】
前記パラメータの少なくとも１つのセットのうちのパラメータの数は、前記仮想セルのセットのうちの前記仮想セルの様々なものについて同じまたは異なるもののうちの少なくとも１つである、
請求項１に記載の方法。
【請求項１９】
前記１つまたは複数の仮想セルのセットのうちの前記少なくとも１つの仮想セルは、すべてのサブフレームまたは前記サブフレームうちのサブセットのうちの少なくとも１つに適用するために構成される、
請求項１に記載の方法。
【請求項２０】
前記１つまたは複数の仮想セルのセットのうちの前記少なくとも１つの仮想セルは、全帯域幅または前記全帯域幅のうちの一部分のうちの少なくとも１つに適用するために構成される、
請求項１に記載の方法。
【請求項２１】
ワイヤレス通信を実行する方法であって、
ノードから、ユーザ機器（ＵＥ）のための、１つまたは複数の仮想セルのセットに関する情報を受信すること、ここにおいて、前記仮想セルのうちの１つまたは複数は、パラメータのセットと関連付けられ、前記1つまたは複数の仮想セルのセットは、物理パラメータのセットにマップされる少なくとも1つの仮想セルを含む、と、
前記ノードと通信することと
を備え、前記通信は、前記仮想セルのうちの前記１つまたは複数とその関連付けられたパラメータのセットの間の少なくとも１つの仮想セルに少なくとも部分的に基づき、
前記少なくとも1つの仮想セルが前記1つまたは複数の仮想セルのセットの一部として構成されると決定することに応じて、前記少なくとも1つの仮想セルの前記関連付けられたパラメータのセットに従って干渉抑制または干渉キャンセルのうちの少なくとも１つを実行することと、
別の仮想セルが前記1つまたは複数の仮想セルのセットの一部として構成されないと決定することに応じて、デフォルト行動に従って干渉抑制または干渉キャンセルのうちの少なくとも１つを実行することと
を含む、方法。
【請求項２２】
前記干渉抑制または干渉キャンセルのうちの少なくとも１つは、セルによる制御送信またはデータ送信のうちの少なくとも１つのために実行される、
請求項２１に記載の方法。
【請求項２３】
前記デフォルト行動は、物理セルアイデンティティおよびそれに関連付けられた物理パラメータに少なくとも基づいて干渉抑制または干渉キャンセルのうちの少なくとも１つを実行することを含む、
請求項２１に記載の方法。
【請求項２４】
前記デフォルト行動は、前記物理セルアイデンティティと関連付けられた前記物理パラメータが有効であるか否かブラインドで検出することを含む、
請求項２３に記載の方法。
【請求項２５】
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
請求項２１に記載の方法。
【請求項２６】
現在の仮想セルがそれに関連付けられたパラメータの１つの完全なセットを有するかどうか決定することと、
前記現在の仮想セルがそれに関連付けられたパラメータの１つの完全なセットを有さないと決定することに応じて、少なくとも１つの追加のパラメータを取得することと
をさらに含み、前記少なくとも１つの追加のパラメータを取得することは、ブラインド検出を実行することを含む、
請求項２１に記載の方法。
【請求項２７】
前記少なくとも１つの仮想セルのセットは、１対１ベース、多対１ベース、または１対多ベースのうちの少なくとも１つで前記物理パラメータのセットにマップされる、
請求項２１に記載の方法。
【請求項２８】
前記物理パラメータのセットは、
エンハンスト物理ダウンリンク制御チャネルまたは物理ダウンリンク共有チャネルのうちの少なくとも１つのための前記開始シンボル、
前記１つまたは複数のチャネル状態情報基準信号構成、
前記キャリアタイプ、
または前記１つまたは複数の復調基準信号パターン
のうちの少なくとも２つを含む、請求項２７に記載の方法。
【請求項２９】
前記１つまたは複数の仮想セルのセットのうちの前記少なくとも１つの仮想セルは、すべてのサブフレーム、または前記サブフレームのサブセットのうちの少なくとも１つに適用するために構成される、
請求項２１に記載の方法。
【請求項３０】
前記１つまたは複数の仮想セルのセットのうちの前記少なくとも１つの仮想セルは、全帯域幅または前記全帯域幅の一部分のうちの少なくとも１つに適用するために構成される、
請求項２１に記載の方法。
【請求項３１】
ワイヤレス通信を実行するための装置であって、
１つまたは複数のユーザ機器（ＵＥ）のための１つまたは複数の仮想セルのセットを構成するための手段、ここにおいて、前記セットのうちの１つまたは複数の仮想セルは、パラメータの少なくとも１つのセットと関連付けられ、前記仮想セルのセットを構成することは、仮想セルから物理パラメータのセットにマップすることを含み、前記仮想セルのセットを構成することは、構成されていないセルのための干渉抑制または干渉キャンセルのうちの少なくとも１つを実行するために、ユーザ機器（ＵＥ）に対してデフォルト行動を指定することを含む、と、
前記ＵＥに、前記１つまたは複数の仮想セルの前記セットに関する情報を送信するための手段と、
前記１つまたは複数の仮想セルのセットのうちの同じ仮想セルに対して、前記１つまたは複数のＵＥのうちのいくつかまたはすべてについての同じパラメータのセットに従って動作するための手段と
を備える、装置。
【請求項３２】
前記干渉は、前記１つまたは複数の仮想セルのセットの間の少なくとも１つの仮想セルによる制御送信またはデータ送信のうちの少なくとも１つによって生じる、
請求項３１に記載の装置。
【請求項３３】
前記干渉抑制または干渉キャンセルのうちの少なくとも１つは、セルによる制御送信またはデータ送信のうちの少なくとも１つに対して実行される、
請求項３１に記載の装置。
【請求項３４】
前記仮想セルのセットを前記構成するための手段は、ユーザ機器（ＵＥ）固有のやり方またはセル固有のやり方のうちの少なくとも１つで前記仮想セルのセットを構成するための手段を含む、
請求項３１に記載の装置。
【請求項３５】
前記ＵＥ固有のやり方で前記仮想セルのセットを前記構成するための手段は、前記ＵＥからの基準信号受信電力レポートに基づいて前記仮想セルのセットを構成するための手段を含む、
請求項３４に記載の装置。
【請求項３６】
仮想セルから前記物理パラメータのセットに前記マップするための手段は、１対１ベース、多対１ベース、または１対多ベースのうちの少なくとも１つでマップすることを実行する、
請求項３１に記載の装置。
【請求項３７】
前記物理パラメータのセットは、
前記セル固有基準信号周波数シフト、
エンハンスド物理ダウンリンク制御チャネルまたは物理ダウンリンク共有チャネルのうちの少なくとも１つのための前記開始シンボル、
前記１つまたは複数のチャネル状態情報基準信号構成、
前記キャリアタイプ、
または前記１つまたは複数の復調基準信号パターン
のうちの少なくとも２つを含む、請求項３６に記載の装置。
【請求項３８】
前記仮想セルのセットを前記構成するための手段は、アンテナポート７乃至１４のブラインド検出を許容するのに十分な程度にユーザ機器（ＵＥ）のために構成される前記仮想セルの数を限定するための手段を含む、
請求項３１に記載の装置。
【請求項３９】
前記デフォルト行動を前記指定するための手段は、
前記ＵＥが物理セルアイデンティティおよびそれに関連付けられた物理パラメータに少なくとも基づいて干渉抑制または干渉キャンセルのうちの少なくとも１つを実行するべきであると指定するための手段、
セル間協調で構成された前記ＵＥが、ＰＤＳＣＨおよび／またはＥＰＤＣＣＨレートマッチングおよび／または擬似コロケーション動作のための構成のセットに少なくとも基づいて干渉抑制または干渉キャンセルのうちの少なくとも１つを実行するべきであると指定するための手段
のうちの少なくとも１つを含む、請求項３１に記載の装置。
【請求項４０】
前記ＵＥが物理セルアイデンティティに少なくとも基づいて干渉抑制または干渉キャンセルのうちの少なくとも１つを実行すべきであると前記指定するための手段は、前記ＵＥが前記物理セルアイデンティティと関連付けられた前記物理パラメータが有効であるか否かをブランドで検出すべきであると指定するための手段を含む、
請求項３９に記載の装置。
【請求項４１】
前記仮想セルのセットを前記構成するための手段は、制御チャネル、チャネル状態情報基準信号チャネル、およびデータチャネルで使用するために１つの仮想セルのセットを構成するための手段を含む、
請求項３１に記載の装置。
【請求項４２】
前記仮想セルのセットを前記構成するための手段は、
半静的である前記仮想セルのセットを構成するための手段、
または動的に前記仮想セルのセットを構成するための
手段
のうちの少なくとも１つを含む、請求項３１に記載の装置。
【請求項４３】
前記１つまたは複数の仮想セルの前記セットに関する情報を前記送信するための手段は、ダウンリンク制御情報における前記情報を動的にシグナリングするための手段を含む、
請求項４２に記載の装置。
【請求項４４】
前記仮想セルのセットを前記構成するための手段は、１つより多くの前記仮想セルのセットと物理セルを関連付けるための手段を含む、
請求項３１に記載の装置。
【請求項４５】
前記仮想セルのセットを前記構成するための手段は、レガシーキャリアタイプおよび非レガシーキャリアタイプの両方のための前記仮想セルのセットを構成するための手段を含む、
請求項３１に記載の装置。
【請求項４６】
前記仮想セルのセットを前記構成するための手段は、セル内で、干渉抑制または干渉キャンセルのうちの少なくとも１つを取り扱うために、同じサービングセルの物理セルアイデンティティに仮想セルをマップするための手段を含む、
請求項３１に記載の装置。
【請求項４７】
前記仮想セルのセットを構成することと合同または別々のうちの少なくとも１つでユーザ機器（ＵＥ）のためのセル間協調を構成するための手段をさらに含む、
請求項３１に記載の装置。
【請求項４８】
前記パラメータの少なくとも１つのセットのうちのパラメータの数は、前記仮想セルのセットのうちの前記仮想セルの様々なものについて同じまたは異なるもののうちの少なくとも１つである、
請求項３１に記載の装置。
【請求項４９】
前記１つまたは複数の仮想セルのセットのうちの前記少なくとも１つの仮想セルは、すべてのサブフレームまたは前記サブフレームうちのサブセットのうちの少なくとも１つに適用するために構成される、
請求項３１に記載の装置。
【請求項５０】
前記１つまたは複数の仮想セルのセットのうちの前記少なくとも１つの仮想セルは、全帯域幅または前記全帯域幅の一部分のうちの少なくとも１つに適用するために構成される、
請求項３１に記載の装置。
【請求項５１】
ワイヤレス通信を実行する装置であって、
ノードから、ユーザ機器（ＵＥ）のための、１つまたは複数の仮想セルのセットに関する情報を受信するための手段、ここにおいて、前記仮想セルのうちの１つまたは複数は、パラメータのセットと関連付けられ、前記1つまたは複数の仮想セルのセットは、物理パラメータのセットにマップされる少なくとも1つの仮想セルを含む、と、
前記ノードと通信するための手段と
を備え、前記通信は、前記仮想セルのうちの前記１つまたは複数とその関連付けられたパラメータのセットの間の少なくとも１つの仮想セルに少なくとも部分的に基づき、
前記少なくとも1つの仮想セルが前記1つまたは複数の仮想セルのセットの一部として構成されると決定することに応じて、前記少なくとも1つの仮想セルの前記関連付けられたパラメータのセットに従って干渉抑制または干渉キャンセルのうちの少なくとも１つを実行することと、
別の仮想セルが前記1つまたは複数の仮想セルのセットの一部として構成されないと決定することに応じて、デフォルト行動に従って干渉抑制または干渉キャンセルのうちの少なくとも１つを実行することと
を含む、装置。
【請求項５２】
前記干渉抑制または干渉キャンセルのうちの少なくとも１つは、セルによる制御送信またはデータ送信のうちの少なくとも１つのために実行される、
請求項５１に記載の装置。
【請求項５３】
前記デフォルト行動は、物理セルアイデンティティおよびそれに関連付けられた物理パラメータに少なくとも基づいて干渉抑制または干渉キャンセルのうちの少なくとも１つを実行することを含む、
請求項５１に記載の装置。
【請求項５４】
前記デフォルト行動は、前記物理セルアイデンティティと関連付けられた前記物理パラメータが有効であるか否かブラインドで検出することを含む、
請求項５３に記載の装置。
【請求項５５】
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
請求項５１に記載の装置。
【請求項５６】
現在の仮想セルがそれに関連付けられたパラメータの１つの完全なセットを有するかどうか決定するための手段と、
前記現在の仮想セルがそれに関連付けられたパラメータの１つの完全なセットを有さないと決定することに応じて、少なくとも１つの追加のパラメータを取得するための手段と
をさらに含み、前記少なくとも１つの追加のパラメータを前記取得するための手段は、ブラインド検出を実行するための手段を含む、
請求項５１に記載の装置。
【請求項５７】
前記少なくとも１つの仮想セルは、１対１ベース、多対１ベース、または１対多ベースのうちの少なくとも１つで前記物理パラメータのセットにマップされる、
請求項５１に記載の装置。
【請求項５８】
前記物理パラメータのセットは、
前記セル固有基準信号周波数シフト、
エンハンスド物理ダウンリンク制御チャネルまたは物理ダウンリンク共有チャネルのうちの少なくとも１つのための前記開始シンボル、
前記１つまたは複数のチャネル状態情報基準信号構成、
前記キャリアタイプ、
または前記１つまたは複数の復調基準信号パターン
のうちの少なくとも２つを含む、請求項５７に記載の装置。
【請求項５９】
前記１つまたは複数の仮想セルのセットのうちの前記少なくとも１つの仮想セルは、すべてのサブフレーム、または前記サブフレームのサブセットのうちの少なくとも１つに適用するために構成される、
請求項５１に記載の装置。
【請求項６０】
前記１つまたは複数の仮想セルのセットのうちの前記少なくとも１つの仮想セルは、全帯域幅または前記全帯域幅の一部分のうちの少なくとも１つに適用するために構成される、
請求項５１に記載の装置。
【請求項６１】
コンピュータに、１つまたは複数のユーザ機器（ＵＥ）のための１つまたは複数の仮想セルのセットを構成させるためのコード、ここにおいて、前記セットのうちの１つまたは複数の仮想セルは、パラメータの少なくとも１つのセットと関連付けられ、前記仮想セルのセットを構成することは、仮想セルから物理パラメータのセットにマップすることを含み、前記仮想セルのセットを構成することは、構成されていないセルのための干渉抑制または干渉キャンセルのうちの少なくとも１つを実行するために、ユーザ機器（ＵＥ）に対してデフォルト行動を指定することを含む、と、
前記コンピュータに、前記ＵＥに、前記１つまたは複数の仮想セルの前記セットに関する情報を送信させるためのコードと、
前記コンピュータに、前記１つまたは複数の仮想セルのセットのうちの同じ仮想セルに対して、前記１つまたは複数のＵＥのうちのいくつかまたはすべてについての同じパラメータのセットに従って動作させるためのコードと
を備える、非一時的コンピュータ可読媒体を備える、
コンピュータプログラム製品。
【請求項６２】
コンピュータに、ノードから、ユーザ機器（ＵＥ）のための、１つまたは複数の仮想セルのセットに関する情報を受信させるためのコード、ここにおいて、前記仮想セルのうちの１つまたは複数は、パラメータのセットと関連付けられ、前記1つまたは複数の仮想セルのセットは、物理パラメータのセットにマップされる少なくとも1つの仮想セルを含む、と、
コンピュータに、前記ノードと通信させるためのコードと
を備える非一時的コンピュータ可読媒体を備え、前記通信は、前記仮想セルのうちの前記１つまたは複数とそれに関連付けられたパラメータのセットの間の少なくとも１つの仮想セルに少なくとも部分的に基づき、
コンピュータに、前記少なくとも1つの仮想セルが前記1つまたは複数の仮想セルのセットの一部として構成されると決定することに応じて、前記少なくとも1つの仮想セルの前記関連付けられたパラメータのセットに従って干渉抑制または干渉キャンセルのうちの少なくとも１つを実行させるためのコードと、
コンピュータに、別の仮想セルが前記1つまたは複数の仮想セルのセットの一部として構成されないと決定することに応じて、デフォルト行動に従って干渉抑制または干渉キャンセルのうちの少なくとも１つを実行させるためのコードと
を含む、コンピュータプログラム製品。
【請求項６３】
ワイヤレス通信を実行する基地局であって、
少なくとも１つのプロセッサと、
前記少なくとも１つのプロセッサに結合されたメモリと
を備え、前記少なくとも１つのプロセッサは、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられ、前記仮想セルのセットを構成することは、仮想セルから物理パラメータのセットにマップすることを含み、前記仮想セルのセットを構成することは、構成されていないセルのための干渉抑制または干渉キャンセルのうちの少なくとも１つを実行するために、ユーザ機器（ＵＥ）に対してデフォルト行動を指定することを含む、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を行うように構成される、基地局。
【請求項６４】
ワイヤレス通信を実行するユーザ機器であって、
少なくとも１つのプロセッサと、
前記少なくとも１つのプロセッサに結合されたメモリと
を備え、前記少なくとも１つのプロセッサは、
ノードから、前記ユーザ機器（ＵＥ）のための、１つまたは複数の仮想セルのセットに関する情報を受信すること、ここにおいて、前記仮想セルのうちの１つまたは複数は、パラメータのセットと関連付けられ、前記1つまたは複数の仮想セルのセットは、物理パラメータのセットにマップされる少なくとも1つの仮想セルを含む、と、
前記ノードと通信することと
を行うように構成され、前記通信は、前記仮想セルのうちの前記１つまたは複数とその関連付けられたパラメータのセットの間の少なくとも１つの仮想セルに少なくとも部分的に基づき、
前記少なくとも1つの仮想セルが前記1つまたは複数の仮想セルのセットの一部として構成されると決定することに応じて、前記少なくとも1つの仮想セルの前記関連付けられたパラメータのセットに従って干渉抑制または干渉キャンセルのうちの少なくとも１つを実行することと、
別の仮想セルが前記1つまたは複数の仮想セルのセットの一部として構成されないと決定することに応じて、デフォルト行動に従って干渉抑制または干渉キャンセルのうちの少なくとも１つを実行することと
を含む、ユーザ機器。
【手続補正２】
【補正対象書類名】明細書
【補正対象項目名】００８４
【補正方法】変更
【補正の内容】
【００８４】
[0083]本開示の先の記述は、当業者が本開示を製造または使用することを可能にするよう提供される。本開示に対するさまざまな変更は、当業者に容易に理解され、本明細書において定義された一般的な原理は、本開示の精神または範囲から逸脱せずに、他の変形例に適用されうる。よって、本開示は、本明細書において説明される実例および設計に限定されるように意図されたものではなく、本明細書において開示された原理および新規の特徴と矛盾しない最大範囲であると認められるべきである。
以下に本願発明の当初の特許請求の範囲に記載された発明を付記する。
［Ｃ１］
ワイヤレス通信を実行するための方法であって、前記方法は、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を備える、方法。
［Ｃ２］
前記１つまたは複数のＵＥのうちの少なくとも１つによって干渉抑制または干渉キャンセルのうちの少なくとも１つを実行することをさらに含む、
Ｃ１に記載の方法。
［Ｃ３］
前記干渉は、前記１つまたは複数の仮想セルのセットの間の少なくとも１つの仮想セルによる制御送信またはデータ送信のうちの少なくとも１つによって生じる、
Ｃ２に記載の方法。
［Ｃ４］
前記干渉抑制または干渉キャンセルのうちの少なくとも１つは、セルによる制御送信またはデータ送信のうちの少なくとも１つに対して実行される、
Ｃ２に記載の方法。
［Ｃ５］
前記仮想セルのセットを構成することは、ユーザ機器（ＵＥ）固有のやり方またはセル固有のやり方のうちの少なくとも１つにおける前記仮想セルのセットを構成することを含む、
Ｃ１に記載の方法。
［Ｃ６］
前記ＵＥ固有のやり方における前記仮想セルのセットを構成することは、前記ＵＥからの基準信号受信電力レポートに基づいて前記仮想セルのセットを構成することを含む、
Ｃ５に記載の方法。
［Ｃ７］
前記仮想セルのセットは、１対１ベース、多対１ベース、または１対多ベースのうちの少なくとも１つで仮想セルから物理セルまたは物理パラメータのセットのうちの少なくとも１つにマップすることを含む、
Ｃ１に記載の方法。
［Ｃ８］
前記物理パラメータのセットは、
セル固有基準信号ポート、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、Ｃ７に記載の方法。
［Ｃ９］
前記仮想セルのセットを構成することは、アンテナポート７乃至１４のブラインド検出を許容にするのに十分な程度にユーザ機器（ＵＥ）のために構成される限られた数の前記仮想セルを含む、
Ｃ１に記載の方法。
［Ｃ１０］
前記仮想セルのセットを構成することは、少なくとも構成されていないセルのための干渉抑制または干渉キャンセルのうちの少なくとも１つを実行するために、ユーザ機器（ＵＥ）に対してデフォルト行動を指定することを含む、
Ｃ１に記載の方法。
［Ｃ１１］
前記デフォルト行動を指定することは、
前記ＵＥが物理セルアイデンティティおよびその関連付けられた物理パラメータに少なくとも基づいて干渉抑制または干渉キャンセルのうちの少なくとも１つを実行するべきであると指定すること、
セル間協調で構成される前記ＵＥが、ＰＤＳＣＨおよび／またはＥＰＤＣＣＨレートマッチングおよび／または擬似コロケーション動作のための構成のセットに基づいて干渉抑制または干渉キャンセルのうちの少なくとも１つを実行するべきであると指定すること
のうちのすくなくとも１つを含む、Ｃ１０に記載の方法。
［Ｃ１２］
前記ＵＥが物理セルアイデンティティに少なくとも基づいて干渉抑制または干渉キャンセルのうちの少なくとも１つを実行すべきであると指定することは、前記ＵＥが前記物理セルアイデンティティと関連付けられた前記物理パラメータが有効であるか否かをブランドで検出すべきであると指定することを含む、
Ｃ１１に記載の方法。
［Ｃ１３］
前記仮想セルのセットは、制御チャネル、チャネル状態情報基準信号チャネル、およびデータチャネルで使用するために１つの仮想セルのセットを構成することを含む、
Ｃ１に記載の方法。
［Ｃ１４］
前記仮想セルのセットを構成することは、
半静的である前記仮想セルのセットを構成すること、
または動的に前記仮想セルのセットを構成すること
のうちの少なくとも１つを含む、Ｃ１に記載の方法。
［Ｃ１５］
前記１つまたは複数の仮想セルの前記セットに関する情報を送信することは、ダウンリンク制御情報における前記情報を動的にシグナリングすることを含む、
Ｃ１４に記載の方法。
［Ｃ１６］
前記仮想セルのセットを構成することは、前記仮想セルのセットのうちの１つより多くの物理セルと物理セルを関連付けることを含む、
Ｃ１に記載の方法。
［Ｃ１７］
前記仮想セルのセットを構成することは、干渉抑制または干渉キャンセルのうちの少なくとも１つを実行するために前記１つまたは複数のＵＥのための２つ以上のパラメータのセットと仮想セルを関連付けることを含む、
Ｃ１に記載の方法。
［Ｃ１８］
前記仮想セルのセットを構成することは、レガシーキャリアタイプおよび非レガシーキャリアタイプの両方のための前記仮想セルのセットを構成することを含む、
Ｃ１に記載の方法。
［Ｃ１９］
前記仮想セルのセットは、セル内の、干渉抑制または干渉キャンセルのうちの少なくとも１つを取り扱うために同じサービングセルの物理セルアイデンティティに仮想セルをマップすることを含む、
Ｃ１に記載の方法。
［Ｃ２０］
前記仮想セルのセットを構成することと合同または別々のうちの少なくとも１つでユーザ機器（ＵＥ）のためのセル間協調を構成することをさらに含む、
Ｃ１に記載の方法。
［Ｃ２１］
前記パラメータの少なくとも１つのセットのうちのパラメータの数は、前記仮想セルのセットのうちの前記仮想セルの様々なものについて同じまたは異なるもののうちの少なくとも１つである、
Ｃ１に記載の方法。
［Ｃ２２］
前記１つまたは複数の仮想セルのセットのうちの少なくとも１つの仮想セルは、すべてのサブフレームまたは前記サブフレームうちのサブセットのうちの少なくとも１つに適用するために構成される、
Ｃ１に記載の方法。
［Ｃ２３］
前記１つまたは複数の仮想セルのセットのうちの少なくとも１つの仮想セルは、全帯域幅または前記全帯域幅のうちの一部分のうちの少なくとも１つに適用するために構成される、
Ｃ１に記載の方法。
［Ｃ２４］
ワイヤレス通信を実行する方法であって、
ノードから、ユーザ機器（ＵＥ）のための、１つまたは複数の仮想セルのセットに関する情報を受信すること、ここにおいて、前記仮想セルのうちの１つまたは複数は、パラメータと関連付けられる、と、
前記ノードと通信することと
を備え、前記通信は、前記仮想セルのうちの前記１つまたは複数とその関連付けられたパラメータのセットの間の少なくとも１つの仮想セルに少なくとも部分的に基づく、
方法。
［Ｃ２５］
前記ＵＥによって干渉抑制または干渉キャンセルのうちの少なくとも１つを実行することをさらに含む、
Ｃ２４に記載の方法。
［Ｃ２６］
干渉抑制または干渉キャンセルのうちの前記少なくとも１つは、セルによる制御送信またはデータ送信のうちの少なくとも１つのために実行される、
Ｃ２５に記載の方法。
［Ｃ２７］
前記少なくとも１つの仮想セルが１つまたは複数のリソース中に存在するかどうか決定することと、
前記少なくとも１つの仮想セルが存在すると決定された場合に、前記１つまたは複数のリソースにおける前記少なくとも１つの仮想セルによる制御送信またはデータ送信のうちの少なくとも１つによって生じた干渉のための干渉抑制または干渉キャンセルのうちの少なくとも１つを実行することと
をさらに備える、Ｃ２４に記載の方法。
［Ｃ２８］
デフォルト行動に従って干渉抑制または干渉キャンセルのうちの少なくとも１つを実行することをさらに含む、
Ｃ２４に記載の方法。
［Ｃ２９］
前記デフォルト行動は、前記少なくとも１つの仮想セルが１つまたは複数のリソースに存在していないと決定したときに実行される、
Ｃ２８に記載の方法。
［Ｃ３０］
前記デフォルト行動は、物理セルアイデンティティおよびそれに関連する物理パラメータに少なくとも基づいて干渉抑制または干渉キャンセルのうちの少なくとも１つを実行することを含む、
Ｃ２８に記載の方法。
［Ｃ３１］
前記デフォルト行動は、前記物理セルアイデンティティと関連付けられた前記物理パラメータが有効であるかどうかブラインドで検出することを含む、
Ｃ３０に記載の方法。
［Ｃ３２］
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
Ｃ２８に記載の方法。
［Ｃ３３］
現在の仮想セルがそれに関連付けられたパラメータの１つの完全なセットを有するかどうか決定することと、
前記現在の仮想セルがそれに関連付けられたパラメータの完全なセットを有さないと決定することに応じて、少なくとも１つの追加のパラメータを取得することと
をさらに含み、前記少なくとも１つの追加のパラメータは、ブラインド検出を実行することを含む、
Ｃ２４に記載の方法。
［Ｃ３４］
前記１つまたは複数の仮想セルのセットは、１対１ベース、多対１ベース、１対多ベースのうちの少なくとも１つで物理セルまたは物理パラメータのセットうちの少なくとも１つにマップされる少なくとも１つの仮想セルを含む、
Ｃ２４に記載の方法。
［Ｃ３５］
前記物理パラメータのセットは、
セル固有基準信号ポートの数、
セル固有基準信号周波数シフト、
エンハンスト物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、Ｃ３４に記載の方法。
［Ｃ３６］
前記１つまたは複数の仮想セルのセットのうちの少なくとも１つの仮想セルは、すべてのサブフレーム、または前記サブフレームのサブセットのうちの少なくとも１つに適用するために構成される、
Ｃ２４に記載の方法。
［Ｃ３７］
前記１つまたは複数の仮想セルのうちの少なくとも１つの仮想セルは、全帯域幅または前記全帯域幅の一部分のうちの少なくとも１つに適用するために構成される、
Ｃ２４に記載の方法。
［Ｃ３８］
ワイヤレス通信を実行するための装置であって、
１つまたは複数のユーザ機器（ＵＥ）のための１つまたは複数の仮想セルのセットを構成するための手段、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信するための手段と、
前記１つまたは複数の仮想セルのセットのうちの同じ仮想セルに対して、前記１つまたは複数のＵＥのうちのいくつかまたはすべてについての同じパラメータのセットに従って動作するための手段と
を備える、装置。
［Ｃ３９］
前記１つまたは複数のＵＥのうちの少なくとも１つによって干渉抑制または干渉キャンセルのうちの少なくとも１つを実行するための手段をさらに含む、
Ｃ３８に記載の装置。
［Ｃ４０］
前記干渉は、前記１つまたは複数の仮想セルのセットの間の少なくとも１つの仮想セルによる制御送信またはデータ送信のうちの少なくとも１つによって生じる、
Ｃ３９に記載の装置。
［Ｃ４１］
前記干渉抑制または干渉キャンセルのうちの少なくとも１つは、セルによる制御送信またはデータ送信のうちの少なくとも１つに対して実行される、
Ｃ３９に記載の装置。
［Ｃ４２］
前記仮想セルのセットを前記構成するための手段は、ユーザ機器（ＵＥ）固有のやり方またはセル固有のやり方のうちの少なくとも１つ中で前記仮想セルのセットを構成するための手段を含む、
Ｃ３８に記載の装置。
［Ｃ４３］
前記ＵＥ固有のやり方における前記仮想セルのセットを前記構成するための手段は、前記ＵＥからの基準信号受信電力レポートに基づいて前記仮想セルのセットを構成するための手段を含む、
Ｃ４２に記載の装置。
［Ｃ４４］
前記仮想セルのセットを構成するための手段は、１対１ベース、多対１ベース、または１対多ベースのうちの少なくとも１つで仮想セルから物理セルまたは物理パラメータのセットのうちの少なくとも１つにマップするための手段を含む、
Ｃ３８に記載の装置。
［Ｃ４５］
前記物理パラメータのセットは、
セル固有基準信号ポート、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、Ｃ４４に記載の装置。
［Ｃ４６］
前記仮想セルのセットを前記構成するための手段は、アンテナポート７乃至１４のブラインド検出を許容するのに十分な程度にユーザ機器（ＵＥ）のために構成される前記仮想セルの数を限定するための手段を含む、
Ｃ３８に記載の装置。
［Ｃ４７］
前記仮想セルのセットを前記構成するための手段は、少なくとも構成されていないセルのための干渉抑制または干渉キャンセルのうちの少なくとも１つを実行するために、ユーザ機器（ＵＥ）に対してデフォルト行動を指定するための手段を含む、
Ｃ３８に記載の装置。
［Ｃ４８］
前記デフォルト行動を前記指定するための手段は、
前記ＵＥが物理セルアイデンティティおよびそれに関連付けられた物理パラメータに少なくとも基づいて干渉抑制または干渉キャンセルのうちの少なくとも１つを実行するべきであると指定するための手段、
セル間協調で構成された前記ＵＥが、ＰＤＳＣＨおよび／またはＥＰＤＣＣＨレートマッチングおよび／または擬似コロケーション動作のための構成のセットに基づいて干渉抑制または干渉キャンセルのうちの少なくとも１つを実行するべきであると指定するための手段
のうちのすくなくとも１つを含む、Ｃ４７に記載の装置。
［Ｃ４９］
前記ＵＥが物理セルアイデンティティに少なくとも基づいて干渉抑制または干渉キャンセルのうちの少なくとも１つを実行すべきであると前記指定するための手段は、前記ＵＥが前記物理セルアイデンティティと関連付けられた前記物理パラメータが有効であるか否かをブランドで検出すべきであると指定するための手段を含む、
Ｃ４８に記載の装置。
［Ｃ５０］
前記仮想セルのセットを前記構成するための手段は、制御チャネル、チャネル状態情報基準信号チャネル、およびデータチャネルで使用するために１つの仮想セルのセットを構成するための手段を含む、
Ｃ３８に記載の装置。
［Ｃ５１］
前記仮想セルのセットを前記構成するための手段は、
半静的である前記仮想セルのセットを構成するための手段、
または動的に前記仮想セルのセットを構成するための
手段
のうちの少なくとも１つを含む、Ｃ３８に記載の装置。
［Ｃ５２］
前記１つまたは複数の仮想セルの前記セットに関する情報を前記送信するための手段は、ダウンリンク制御情報における前記情報を動的にシグナリングするための手段を含む、
Ｃ５１に記載の装置。
［Ｃ５３］
前記仮想セルのセットを前記構成するための手段は、１つより多くの前記仮想セルのセットと物理セルを関連付けるための手段を含む、
Ｃ３８に記載の装置。
［Ｃ５４］
前記仮想セルのセットを前記構成するための手段は、干渉抑制または干渉キャンセルのうちの少なくとも１つを実行するために前記１つまたは複数のＵＥのための２つ以上のパラメータのセットと仮想セルを関連付けるための手段を含む、
Ｃ３８に記載の装置。
［Ｃ５５］
前記仮想セルのセットを前記構成するための手段は、レガシーキャリアタイプおよび非レガシーキャリアタイプの両方のための前記仮想セルのセットを構成するための手段を含む、
Ｃ３８に記載の装置。
［Ｃ５６］
前記仮想セルのセットを前記構成するための手段は、セル内で、干渉抑制または干渉キャンセルのうちの少なくとも１つを取り扱うために、同じサービングセルの物理セルアイデンティティに仮想セルをマップするための手段を含む、
Ｃ３８に記載の装置。
［Ｃ５７］
前記仮想セルのセットを構成するための手段は、合同または別々のうちの少なくとも１つでユーザ機器（ＵＥ）のためのセル間協調を構成するための手段をさらに含む、
Ｃ３８に記載の装置。
［Ｃ５８］
前記パラメータの少なくとも１つのセットのうちのパラメータの数は、前記仮想セルのセットのうちの前記仮想セルの様々なものについて同じまたは異なるもののうちの少なくとも１つである、
Ｃ３８に記載の装置。
［Ｃ５９］
前記１つまたは複数の仮想セルのセットのうちの少なくとも１つの仮想セルは、すべてのサブフレームまたは前記サブフレームうちのサブセットのうちの少なくとも１つに適用するために構成される、
Ｃ３８に記載の装置。
［Ｃ６０］
前記１つまたは複数の仮想セルのセットのうちの少なくとも１つの仮想セルは、全帯域幅または前記全帯域幅の一部分のうちの少なくとも１つに適用するために構成される、
Ｃ３８に記載の装置。
［Ｃ６１］
ワイヤレス通信を実行する装置であって、
ノードから、ユーザ機器（ＵＥ）のための、１つまたは複数の仮想セルのセットに関する情報を受信するための手段、ここにおいて、前記仮想セルのうちの１つまたは複数は、パラメータと関連付けられる、と、
前記ノードと通信するための手段と
を備え、前記通信は、前記仮想セルのうちの前記１つまたは複数とその関連付けられたパラメータのセットの間の少なくとも１つの仮想セルに少なくとも部分的に基づく、
装置。
［Ｃ６２］
前記ＵＥによって干渉抑制または干渉キャンセルのうちの少なくとも１つを実行することをさらに含む、
Ｃ６１に記載の装置。
［Ｃ６３］
干渉抑制または干渉キャンセルのうちの前記少なくとも１つは、セルによる制御送信またはデータ送信のうちの少なくとも１つのために実行される、
Ｃ６２に記載の装置。
［Ｃ６４］
前記少なくとも１つの仮想セルが１つまたは複数のリソース中に存在するかどうか決定するための手段と、
前記少なくとも１つの仮想セルが存在すると決定された場合に、前記１つまたは複数のリソースにおける、前記少なくとも１つの仮想セルによる制御送信またはデータ送信のうちの少なくとも１つによって生じた干渉のための干渉抑制または干渉キャンセルのうちの少なくとも１つを実行するための手段と
をさらに備える、Ｃ６１に記載の装置。
［Ｃ６５］
デフォルト行動に従って干渉抑制または干渉キャンセルのうちの少なくとも１つを実行するための手段をさらに含む、
Ｃ６１に記載の装置。
［Ｃ６６］
前記デフォルト行動は、前記少なくとも１つの仮想セルが１つまたは複数のリソースに存在していないと決定したときに実行される、
Ｃ６５に記載の装置。
［Ｃ６７］
前記デフォルト行動は、物理セルアイデンティティおよびそれに関連する物理パラメータに少なくとも基づいて干渉抑制または干渉キャンセルのうちの少なくとも１つを実行することを含む、
Ｃ６５に記載の装置。
［Ｃ６８］
前記デフォルト行動は、前記物理セルアイデンティティと関連付けられた前記物理パラメータが有効であるかどうかブラインドで検出することを含む、
Ｃ６７に記載の装置。
［Ｃ６９］
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
Ｃ６５に記載の装置。
［Ｃ７０］
現在の仮想セルがそれに関連付けられたパラメータの１つの完全なセットを有するかどうか決定するための手段と、
前記現在の仮想セルがそれに関連付けられたパラメータの完全なセットを有さないと決定することに応じて、少なくとも１つの追加のパラメータを取得するための手段と
を備え、前記少なくとも１つの追加のパラメータを取得するための手段は、ブラインド検出を実行するための手段を含む、
Ｃ６１に記載の装置。
［Ｃ７１］
前記１つまたは複数の仮想セルのセットは、１対１ベース、多対１ベース、１対多ベースのうちの少なくとも１つ上で物理セルうちの少なくとも１つまたは物理パラメータのセットがマップされる少なくとも１つの仮想セルを含む、
Ｃ６１に記載の装置。
［Ｃ７２］
前記物理パラメータのセットは、
セル固有基準信号ポートの数、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、Ｃ７１に記載の装置。
［Ｃ７３］
前記１つまたは複数の仮想セルのセットのうちの少なくとも１つの仮想セルは、すべてのサブフレーム、または前記サブフレームのサブセットのうちの少なくとも１つに適用するために構成される、
Ｃ６１に記載の装置。
［Ｃ７４］
前記１つまたは複数の仮想セルのうちの少なくとも１つの仮想セルは、全帯域幅または前記全帯域幅の一部分のうちの少なくとも１つに適用するために構成される、
Ｃ６１に記載の装置。
［Ｃ７５］
コンピュータに、１つまたは複数のユーザ機器（ＵＥ）のための１つまたは複数の仮想セルのセットを構成させるためのコード、ここにおいて、前記セットのうちの１つまたは複数の仮想セルは、パラメータの少なくとも１つのセットと関連付けられる、と、
コンピュータに、前記ＵＥに、前記１つまたは複数の仮想セルの前記セットに関する情報を送信させるためのコードと、
コンピュータに、前記１つまたは複数の仮想セルのセットのうちの同じ仮想セルに対して、前記１つまたは複数のＵＥのうちのいくつかまたはすべてについての同じパラメータのセットに従って動作させるためのコードと
を備える、コンピュータ可読媒体を備える、
コンピュータプログラム製品。
［Ｃ７６］
コンピュータに、ノードから、ユーザ機器（ＵＥ）のための、１つまたは複数の仮想セルのセットに関する情報を受信させるためのコード、ここにおいて、前記仮想セルのうちの１つまたは複数は、パラメータと関連付けられる、と、
コンピュータに、前記ノードと通信させるためのコードと
を備えるコンピュータ可読媒体を備え、前記通信は、前記仮想セルのうちの前記１つまたは複数とそれに関連付けられたパラメータのセットの間の少なくとも１つの仮想セルに少なくとも部分的に基づく、
コンピュータプログラム製品。
［Ｃ７７］
ワイヤレス通信を実行する基地局であって、
少なくとも１つのプロセッサと、
前記少なくとも１つのプロセッサに結合したメモリと
を備え、前記少なくとも１つのプロセッサは、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を行うように構成される、基地局。
［Ｃ７８］
ワイヤレス通信を実行するユーザ機器であって、
少なくとも１つのプロセッサと、
前記少なくとも１つのプロセッサに結合したメモリと
を備え、前記少なくとも１つのプロセッサは、
ノードから、ユーザ機器（ＵＥ）のための、１つまたは複数の仮想セルのセットに関する情報を受信すること、ここにおいて、前記仮想セルのうちの１つまたは複数は、パラメータと関連付けられる、と、
前記ノードと通信することと
を行うように構成され、前記通信は、前記仮想セルのうちの前記１つまたは複数とその関連付けられたパラメータのセットの間の少なくとも１つの仮想セルに少なくとも部分的に基づく、
ユーザ機器。